(57)【要約】【課題】  従来の着物又はワンピース風着物は、和装小物が必要であり、尚かつ着付けの知識と技術なくしては着ることが出来ない。シミが付いた際にはシミ抜きの専門業者に依頼しなければならず、たたみ方やしまい方なども方法が定まっており、あらゆるところに複雑さを否めない。【解決手段】  襟ベルト、ダーツを入れ面ファスナーを取り付けたロングジャケット、芯を入れ面ファスナーを取り付けた布製の幅広ベルト、芯を入れ面ファスナーを取り付けた布製のバックルとバックルに付随する飾りとバックルベルトを装着すると、外見が完全に着物姿となる洋服。ポリエステル１００％のちりめん生地を使用しシワがよらず尚かつ洗濯可能であり難しい着物のたたみ方の必要もなくハンガーにかけたまま収納が出来る。リバーシブルにしているので２種類の着物と４種類の帯を持つことと同等の意味と価値を持つ。経済的で多種多様のコーディネイトを可能なものとしている。【選択図】図２
2015038256.tif 000002
【特許請求の範囲】
【請求項１】
芯を入れた襟ベルトを着け、ダーツを入れオスメス両用のカラー面ファスナーを取り付けた、バスローブのようなデザインのロングジャッケットを着ることにより、外見が着物姿に見えるように製作した襟ベルトとロングジャケット。
【請求項２】
芯を入れオスメス両用のカラー面ファスナーを取り付けた幅広の布製ベルトと、芯を入れオスメス両用のカラー面ファスナーを取り付けた幅広の布製バックルを着けることにより、外見が帯を結んだ姿に見えるように製作した布製ベルトと布製バックルと、それに付随する飾りとバックルベルト。
【発明の詳細な説明】
【技術分野】
【０００１】
本発明は、芯を入れた襟ベルトと、ダーツを入れオスメス両用のカラー面ファスナーを取り付けたジャケットと、芯を入れオスメス両用のカラー面ファスナーを取り付けた布製ベルトと、芯を入れオスメス両用のカラー面ファスナーを取り付けた布製バックルと、それに付随する飾りとバックルベルトに関する。
【背景技術】
【０００２】
昨今、諸外国では日本文化が注目されており、来日した外国旅行者が、お土産又は自分用に、着物と帯と和装小物を購入することが増えている。しかしながら、着付けの知識及び技術を持たないが為に、オブジェとして飾っておくしかないのが現状である。又世界中の民族衣装において、ほとんどの国の民族衣装を着る際には、難しい着付けの技術をさほど必要としておらず、日本の民族衣装である着物は、世界中で喜ばれるものでありながら、着付けの専門家でなければ美しくきちんと着せることが出来ないのは残念である。日本国内においても、日本文化が見直されており、もっと頻繁に手軽に着物を着たいという若年層が増えているものの、着付けの知識及び技術を、難しくとらえていることに加え、経済不安により、高価な着物の購買にまでは至っていないのが現状である。又着付けを施せる美容室が減少しつつあることも残念なことである。
【先行技術文献】
【特許文献】
【０００３】
【特許文献１】特開２００７−６３７３６
【発明の概要】
【発明が解決しようとする課題】
【０００４】
以上に述べた従来の着物又はワンピース風着物は、本来着物であるが為に、和装小物が必要であり、多少の着付けの知識や技術なくしては着ることが出来ないものである。さらに美容室に着付けを依頼するのは、特別な時の振り袖、留め袖、訪問着等に限定されており、普段着までには至っていないのが現状である。又シミがついた際には、シミ抜き専門業者に依頼しなければならず、たたみ方やしまい方も、方法が定まっており、あらゆるところに複雑さをいなめない。
【０００５】
本発明は、このような従来の構成が有していた問題を解決しようとするものであり、「洋服」として完全に着脱でき、尚かつ着ると外見が完全な着物姿になるという目的を果たすことで、着物に関心を持っている世界中の外国人や、着付けの技術は持っていないけれど、着物を着たいという海外に永く在住している日本人と、日本国内において頻繁に手軽に着物を着たいという人々と、突然のお悔やみごとで夜間に喪服を着る必要が生じた際に、すでに美容室が閉店している為、喪服の着付けに困っている人々に、インターネットを、通じてオーダーメイドで提供することを目的とするものである。
【課題を解決するための手段】
【０００６】
そして本発明は、上記目的を達成する為に、専用の襟ベルト、バスローブのようなデザインで前後身頃にダーツを入れオスメス両用のカラー面ファスナーを取り付けたロングジャケット、芯を入れオスメス両用のカラー面ファスナーを取り付けた布製の幅広ベルト、芯を入れオスメス両用のカラー面ファスナーを取り付けた布製のバックルとそれに付随する飾りとバックルベルトを装着することで、完全に着物姿に見せることを目的とする。
【発明の効果】
【０００７】
上述したように、本発明の洋服は、ダーツを入れ面ファスナーを取り付けたロングジャケットと、芯を入れ随所に面ファスナーを取り付けた多種類のベルトとバックルを着けることで、外見は完全に着物姿に見せることが出来るものである。
【０００８】
又ポリエステル１００％のちりめん生地を使用することで、シワがよらず、尚かつ洗濯機で洗濯可能であり、難しい着物のたたみ方の必要もなく、ハンガーにかけたままの状態で、ワードロープにつるして収納が出来る。ジャケットは２枚の取り外し可能なリバーシブルであり、ベルトとバックルにおいてもリバーシブルに仕上げている為、多種多様な組み合わせが可能である。
【０００９】
キャミソールとレギンス又はTシャツとGパンを着て、その上に襟ベルトとロングジャケットを着ることで、肌襦袢と長襦袢を不要のものとする。又パンプスやブーツと組み合わせることにより、明治維新の時代のようなコーディネイトが可能であり、男性においては、普通の幅広ベルトを締めるだけでもよいものとなっている。もちろん全て従来のように着用することも可能である。
【図面の簡単な説明】
【００１０】
【図１】襟ベルトとロングジャケット後身頃の製作図
【図２】ロングジャケット前身頃の製作図
【図３】おはしょりベルト、帯ベルト、お太鼓バックル、お太鼓押さえベルト、文庫バックル、文庫飾り大、文庫飾り中、文庫飾り小、バックルベルトの製作図
【発明を実施するための形態】
【００１１】
以下、本発明の形態を図１〜図３に基づいて説明する。
【００１２】
図１においては、
１は２と４の縫い合わせ位置から１５ｃｍ下に取り付けた、長さ１４０ｃｍ×幅６ｃｍのベルトを背中からアンダーバストにまわし左側で結ぶ。着付けの技術である、首の後ろの襟抜きを美しく作る役割と、着付けの技術である、前の襟もとを長時間にわたり着崩れなく美しく保つという重要な役割を果たす。
２は襟ベルトの中央に取り付けた長さ５０ｃｍ×幅１５ｃｍの衣紋抜きベルトである。
３は襟ベルトの中央の内側に入れ込んだ長さ９０ｃｍ×幅５ｃｍの芯である。
４は長さ３００ｃｍ×幅６ｃｍのベルトを、喉元でクロスしてバストのトップを通り、背中にまわしてクロスし、前のアンダーバストにまわし右側で結ぶ。１〜４は「襟ベルト」である。
５は６に拡大記載している、着付けの技術である、襟抜きを不要のものとし、美しい襟抜きを作る為の重要なサイズであり、長さ１５ｃｍ幅１０ｃｍの底辺の角に左右それぞれ３ｃｍのカーブを入れる。
７は端から１０ｃｍ脇下１５ｃｍの位置に、長さ１５ｃｍ×幅８ｃｍのダーツを入れることにより、着付けの技術である、後ろ脇のたるみ処理を不要のものとし、背中一面をスッキリと見せる。
８は幅５ｍｍのダーツを入れることで、着物の後ろの中央を縫い合わせたように見せる。５〜８は、「ロングジャケットの後身頃」である。
【００１３】
図２においては、
９は前後の身頃に襟を付けたものである。幅１３ｃｍの襟を内側へ半分に折り曲げて、襟幅を6.5ｃｍにすることは、襟ベルトに美しくフィットさせる為の重要なサイズである。
１０は幅５ｍｍのダーツを入れることにより、前身頃のおくみの縫い合わせに見せる。
１１は脇下２５ｃｍの位置から始まる底辺３０ｃｍの二等辺三角形のダーツを入れることで、着付けの技術である、おはしょりの処理を不要にし、同じく着付けの技術である、裾の端を１５ｃｍ程上げる処理を不要のものとし、ゆるやかな美しいVラインの裾を作る。
１２は１１のダーツを入れることで出来た袋状のものを、上方にまつることで、着付けの技術である、余った前身頃をバストの下に収めて体型の補正をする処理を不要のものとし、尚かつその役割を果たす。
１３は長さ５ｃｍ×幅５ｃｍのカーブを入れる。
１４は袖の長さを６０ｃｍとし、振り袖は長さを１１０ｃｍとする。
１５は面ファスナーを取り付ける為の、折り返しを幅７ｃｍとする。
１６は裏の折り返しの輪から２ｃｍ奥であり、１２の底辺より１０ｃｍ下の位置に、長さ１０ｃｍ×幅３ｃｍの面ファスナーを取り付ける。
１７は１６より３０ｃｍ下の位置に長さ１０ｃｍ×幅３ｃｍの面ファスナーを取り付ける。９〜１７は「ロングジャケットの前身頃」である。
【００１４】
図１図２のジャケットを２枚製作し、面ファスナーで重ね合わせることで、裏地を不要のものとし、尚かつ取り外し可能なリバーシブルにすることにより、多種多様なコーディネイトを可能とする。さらに夏には一重で着用が出来るものとし、実に経済的でもある。尚、黒無地で製作するお太鼓バックルと、お太鼓押さえベルトにおいては、喪服として利用する時の為に、リバーシブルの色柄が見えないように、黒無地部分を、リバーシブル側の内側に３ｃｍ折り返して製作するものとする。
【００１５】
図３においては、
１８と１９は長さ１０ｃｍ×幅７ｃｍの角を落として、ウエストにフィットさせる役割を果たす。
２０は幅２０ｃｍを二つ折りにして内側に折り入れ、仕上がりを幅１０ｃｍとする。
２１は中に長さ１００ｃｍ×幅１２ｃｍの柔らかめの芯を入れる。
２２は長さ１０ｃｍ×幅１０ｃｍの面ファスナーを取り付ける。
２３はリバーシブル側に長さ１０ｃｍ×幅１０ｃｍの面ファスナーを取り付ける。
１８〜２３は着付けの技術である、伊達巻きを巻く処理と、おはしょりの処理を不要のものとし、尚かつ伊達巻きとおはしょりの役割を果たす「おはしょりベルト」である。
２４は全面に硬めの芯を入れる。
２５は長さ１０ｃｍ×幅１０ｃｍの面ファスナーを取り付け、リバーシブル側にも同様に取り付ける。２４〜２５は「帯ベルト」である。
２６は左から９ｃｍの位置に、長さ１０ｃｍ×幅５ｃｍの面ファスナーを取り付ける。
２７は２６から１２ｃｍの位置に、長さ１０ｃｍ×幅５ｃｍの面ファスナーを取り付ける。
２８は２７から２０ｃｍの位置に、長さ１０ｃｍ×幅５ｃｍの面ファスナーを取り付ける。
２９は２８から２８ｃｍの位置に、長さ１０ｃｍ×幅５ｃｍの面ファスナーを取り付ける。２６〜２９の間隔は、形が整ったお太鼓を作る為に重要なサイズである。
３０，３１，３２，３３はリバーシブル側に２６，２７，２８，２９と同様の位置に、長さ１０ｃｍ×幅５ｃｍの面ファスナーを取り付ける。お太鼓バックルは、２６と２８、２９と３１を重ね合わせて組み立てる。リバーシブル側も同様に３０と３２，３３と２７を重ね合わせて組み立てる。
３４と３５は両サイドの角を幅５ｃｍ落とす。２６〜３５は「お太鼓バックル」である。
３６は長さ１８ｃｍ×幅４ｃｍのトンネル状の部分へ、あらかじめ紐を通しておく。
３７は高さの中央の位置より１ｃｍ下に長さ１０ｃｍ×幅５ｃｍの面ファスナーを取り付ける。
３８はホックを取り付け、ホックを合わせて内側に折り曲げる。
３９，４０，４１はリバーシブル側に３６，３７，３８と同様に取り付け、お太鼓の形をしたバックルの内側にある２７又は３１と重ね合わせ、お太鼓の手の役割を果たす。３６〜４１は「お太鼓押さえベルト」である。
４２と４３は芯を入れたな長さ１１０ｃｍ×幅３０ｃｍの輪の状態のバックルの中央の位置に、表とリバーシブル側に長さ１０ｃｍ×幅１０ｃｍの面ファスナーを取り付ける。
４４と４５は半分割した反対側の表とリバーシブル側に、長さ１０ｃｍ×幅１０ｃｍのマ面ファスナーを４２，４３と同様に取り付ける。４２〜４５は「文庫バックル」である。
４６は長さ４０ｃｍ×幅１６ｃｍであり、上部に長さ１０ｃｍ×幅５ｃｍの面ファスナーを取り付け、リバーシブル側にも同様に取り付ける。
４７は４６の下の端を５ｃｍ折り返し、縫い合わせたトンネル状の部分へ、あらかじめ紐を通しておく。４６〜４７は「文庫飾り大」である。
４８は長さ３２ｃｍ×幅１３ｃｍであり、上部に長さ１０ｃｍ×幅３ｃｍの面ファスナーを取り付けた「文庫飾り中」である。
４９は長さ２７ｃｍ×幅１０ｃｍで、底辺の左側を右に３ｃｍ、右側を上に３ｃｍずらして傾きをつけ、上部に長さ７ｃｍ×幅３ｃｍの面ファスナーを取り付け、リバーシブル側にも同様に面ファスナーを取り付けた「文庫飾り小」である。４６の上に、４７、４８を重ね、文庫状になったバックルの上に取り付け、たれとしての飾りの役割を果たす。
５０は長さ１４０×幅１５ｃｍの袋縫いをしたベルト中央の位置に、長さ１０ｃｍ×幅１０ｃｍの面ファスナーを取り付ける。ベルト中央に、上下の底辺が幅２０ｃｍ中央は幅３０ｃｍの袋状の中にストローチップを詰め込む。２本製作し、お太鼓バックル２７又は３１や、文庫飾り大４６に面ファスナーを重ねて、あらかじめ取り付けておく「バックルベルト」である。
【００１６】
以上の形態により、２種類の幅広の布製のベルトを装着し、布製のバックルのいずれかを背中に着け、あらかじめ取り付けているバックルベルトと、使用した３６，３９，４７のいずれかに、あらかじめ通している紐を前方で結ぶと、文庫帯やお太鼓帯を結んだように見せることが可能となる。
【００１７】
図１の襟ベルトの上に、図１図２のロングジャケットを着て、その上に図３の布製の幅広ベルトと布製の幅広バックルを着けることにより、外見上は完全な着物姿に見せることが可能のものとなる。さらに、ロングジャケットは２枚の取り外し可能なリバーシブルとし、布製の幅広ベルトと布製の幅広バックルとそれに付随するベルトや飾りにおいてもリバーシブルとすることで、２種類の着物と４種類の帯を持っていることと同等の意味と価値を持たせることを可能にした。着物は着付けの技術で、着る人の体型にフィットさせながら着付けをしていくが、洋服は固定されたサイズの縫製であるが為に、本作品は個人の寸法である「首の後ろの付け根中央から手首まで」「首の後ろ付け根中央から足のかかとまで」「バスト」「ウエスト」「ヒップ」「前の右腰骨から左腰骨まで（腹の出具合で前身頃の幅が大きく違う為）」を要する。
【符号の説明】
【００１８】
A  襟ベルト
B  ロングジャケット後身頃
C  ロングジャケット前身頃
D  おはしょりベルト
E  帯ベルト
F  お太鼓バックル
G  お太鼓押さえベルト
H  文庫バックル
I  文庫飾り大
J  文庫飾り中
K  文庫飾り小
L  バックルベルト
【図１】
2015038256.tif 000003
【図２】
2015038256.tif 000004
【図３】
2015038256.tif 000005